(57)【要約】【課題】前部に撮影レンズが配備された本体を具え、該本体の後部には、動画撮影釦14と静止画撮影釦15が配備されている携帯型電子機器において、通常アングル若しくはハイアングル撮影時のみならず、ローアングル撮影時にも録画操作が容易な携帯型電子機器を提供する。【解決手段】本発明に係る携帯型電子機器においては、本体の上面に、前記２つの録画釦14、15とは独立して、動画撮影釦12と静止画撮影釦13が設けられており、本体の後部に配備されている動画撮影釦14及び静止画撮影釦15と、本体の上面に配備されている動画撮影釦12及び静止画撮影釦13とは、互いに独立して動作可能である。【選択図】図２
2011142369.tif 000002
【特許請求の範囲】
【請求項１】
前部に撮影レンズが配備された本体を具え、該本体の後部には、動画撮影用の録画釦と静止画撮影用の録画釦とが配備されている携帯型電子機器において、前記本体の上面には、前記２つの録画釦とは独立して、動画撮影用の録画釦と静止画撮影用の録画釦とが設けられていることを特徴とする録画機能を具えた携帯型電子機器。
【請求項２】
前記本体の上面に設けられている動画撮影用の録画釦と静止画撮影用の録画釦は、前記本体の後部に配備されている動画撮影用の録画釦と静止画撮影用の録画釦の並びと同じ並びに配備されている請求項１に記載の携帯型電子機器。
【請求項３】
前記本体の上面に設けられている動画撮影用の録画釦と、前記本体の後部に配備されている動画撮影用の録画釦とは、操作による動作が互いに独立していると共に、前記本体の上面に設けられている静止画撮影用の録画釦と、前記本体の後部に配備されている静止画撮影用の録画釦とは、操作による動作が互いに独立しており、何れか一方の動画撮影用の録画釦の操作によって動画を撮影しつつ、何れか一方の静止画撮影用の録画釦を操作することによって、静止画の撮影が可能である請求項１又は請求項２に記載の携帯型電子機器。
【発明の詳細な説明】
【技術分野】
【０００１】
本発明は、カメラや携帯電話機等の電子機器に関し、特に、録画機能を具えた携帯型電子機器に関するものである。
【背景技術】
【０００２】
従来、２軸ヒンジ機構を具えて２つの筐体を折り畳むことが可能な電子機器が提案されている(特許文献１、２)。
例えば、静止画や動画を撮影することが可能なビデオカメラにおいては、図８及び図９に示す如く、撮影レンズ及び操作部(92)が配備された第１筐体(９)と、液晶ディスプレイ(93)が配備された第２筐体(91)とが、２軸ヒンジ機構(90)によって互いに開閉可能に連結されている。
【０００３】
該ビデオカメラにおいては、図８の如く第１筐体(９)に対して第２筐体(91)を２軸ヒンジ機構(90)の第１軸回りに回動させて開くと共に、図９の如く第２筐体(91)を開き状態で２軸ヒンジ機構(90)の第２軸回りに回動させて前記液晶ディスプレイの向きを反転させることが可能となっている。
【０００４】
又、上記ビデオカメラにおいては、図９の如く、第１筐体(９)の側部に、閉じ状態の第２筐体(91)によって覆われることとなる領域に、電源釦(94)が配備されると共に、第２筐体(91)が図９に示す反転状態で折り畳まれたときに該第２筐体(91)の背面(96)を受け止めるべきストッパー(95)が配備されている。
ストッパー(95)の配備によって、第２筐体(91)が図９に示す反転状態で折り畳まれたときに第２筐体(91)の背面(96)が第１筐体(９)の構成部品と衝突して損傷を受けることが防止される。
【先行技術文献】
【特許文献】
【０００５】
【特許文献１】特開２００９−１１１７３７号公報
【特許文献２】特開２００５−１８９６０１号公報
【発明の概要】
【発明が解決しようとする課題】
【０００６】
しかしながら、図８及び図９に示すビデオカメラにおいては、第１筐体(９)の後部のみに録画用の操作部(92)が配備されていたため、通常アングル撮影時若しくはハイアングル撮影時の録画操作は容易であるものの、ローアングル撮影時の録画操作が困難である問題があった。
そこで本発明の目的は、通常アングル若しくはハイアングル撮影時のみならず、ローアングル撮影時にも録画操作の容易な携帯型電子機器を提供することである。
【課題を解決するための手段】
【０００７】
本発明に係る録画機能を具えた携帯型電子機器は、前部に撮影レンズが配備された本体を具え、該本体の後部には、動画撮影用の録画釦と静止画撮影用の録画釦とが配備されている。
ここで、前記本体の上面には、前記２つの録画釦とは独立して、動画撮影用の録画釦と静止画撮影用の録画釦とが設けられている。
【０００８】
具体的態様において、前記本体の上面に設けられている動画撮影用の録画釦と静止画撮影用の録画釦は、前記本体の後部に配備されている動画撮影用の録画釦と静止画撮影用の録画釦の並びと同じ並びに配備されている。
【発明の効果】
【０００９】
本発明に係る携帯型電子機器によれば、通常アングル撮影時若しくはハイアングル撮影時には、本体の後部に配備された動画撮影用の録画釦と静止画撮影用の録画釦を容易に操作することが出来、ローアングル撮影時には、本体の上面に配備された動画撮影用の録画釦と静止画撮影用の録画釦を容易に操作することが出来る。
【図面の簡単な説明】
【００１０】
【図１】図１は、本発明の一実施態様であるビデオカメラの閉じ状態の斜視図である。
【図２】図２は、該ビデオカメラの開き状態の斜視図である。
【図３】図３は、該ビデオカメラにおいて第１筐体の側部から２つの釦と釦ホルダーを取り外した状態を示す斜視図である。
【図４】図４は、該ビデオカメラにおいて開き状態の第２筐体を反転させた状態を示す斜視図である。
【図５】図５は、該ビデオカメラによる通常アングル若しくはハイアングルの撮影状態を示す斜視図である。
【図６】図６は、該ビデオカメラによるローアングルの撮影状態を示す斜視図である。
【図７】図７は、本発明の他の実施態様であるビデオカメラの開き状態の斜視図である。
【図８】図８は、従来のビデカメラの開き状態を示す斜視図である。
【図９】図９は、該ビデオカメラにおいて開き状態の第２筐体を反転させた状態を示す斜視図である。
【発明を実施するための形態】
【００１１】
以下、本発明を静止画及び動画の撮影が可能なビデオカメラに実施した形態につき、図面に沿って具体的に説明する。
本発明の一実施態様であるビデオカメラは、図１及び図２に示す如く、撮影レンズ(11)が配備された第１筐体(１)と、液晶ディスプレイ(21)が配備された第２筐体(２)とを具え、両筐体(１)(２)は２軸ヒンジ機構(３)によって互いに開閉可能に連結されている。
【００１２】
該ビデオカメラにおいては、２軸ヒンジ機構(３)の動作によって、図１に示す閉じ状態と図２に示す開き状態を設定することが可能である。又、図２に示す開き状態から第２筐体(２)を回転させることによって、図４に示す如く液晶ディスプレイ(21)の向きを反転させることが出来る。
【００１３】
図１及び図２に示す如く、第１筐体(１)の後部には、その背面に、動画撮影釦(14)と静止画撮影釦(15)が配備されると共に、第１筐体(１)の前部にも、その上面に、動画撮影釦(12)と静止画撮影釦(13)が配備されている。
後方の動画撮影釦(14)及び静止画撮影釦(15)と、前方の動画撮影釦(12)及び静止画撮影釦(13)とは、操作による動作が独立しており、例えば、後方の動画撮影釦(14)によって動画の撮影を開始した後、前方の静止画撮影釦(13)を操作することによって、動画撮影中の静止画撮影が可能である。
【００１４】
更に、第１筐体(１)の側面には、図２の如く閉じ状態の第２筐体(２)によって覆われることとなる領域に、電源釦(16)と再生釦(17)が配備され、これらの釦(16)(17)はシート状の釦ホルダー(４)によって保持されている。
【００１５】
第１筐体(１)の内部には、図３に示す如く本体機構部(５)が収容されており、該本体機構部(５)の側面は金属板(51)によって覆われている。該金属板(51)は、本体機構部(５)の熱を放散させるヒートシンクの機能を発揮する。
尚、金属板(51)の表面には必要に応じて樹脂シートが設置される。
【００１６】
本体機構部(５)の側部には、２つのスイッチ部(52)(53)が配備されており、これらのスイッチ部(52)(53)はそれぞれ電源釦(16)及び再生釦(17)の押下操作によってオンとなる。
電源釦(16)及び再生釦(17)を保持する釦ホルダー(４)は、エラストマー製であって、電源釦(16)及び再生釦(17)の頭部が臨出すべき２つの開口(42)(43)が形成されている。又、釦ホルダー(４)の表面の端部には、一体成型によってストッパー(41)が突設されている。
【００１７】
図４に示す如く、第２筐体(２)が開かれると共に液晶ディスプレイ(21)の向きを反転させた状態から、第２筐体(２)が第１筐体(１)側に折り畳まれたとき、該第２筐体(２)の背面(22)がストッパー(41)に当接して受け止められる。ここで、ストッパー(41)はエラストマーによって形成されているので、第２筐体(２)の背面(22)が損傷を受けることはない。
【００１８】
図５、上記ビデオカメラによる通常アングル若しくはハイアングルでの撮影状態を表わしており、ユーザは、第１筐体(１)を下から把持して、ビデオカメラを眼の高さと略同じ高さ位置に維持し、動画若しくは静止画の撮影を行なう。この際、ユーザは、後方の動画撮影釦(14)若しくは静止画撮影釦(15)を親指で操作すればよく、その操作は容易である。
【００１９】
一方、図６は、上記ビデオカメラによるローアングルでの撮影状態を表わしており、ユーザは、第１筐体(１)を上から把持して、ビデオカメラを眼の高さよりも十分に低い高さ位置に維持し、動画若しくは静止画の撮影を行なう。この際、ユーザは、前方の動画撮影釦(12)若しくは静止画撮影釦(13)を親指で操作すればよく、その操作は容易である。
尚、ローアングルでの撮影時には、第２筐体(２)を図６の姿勢から回転させて、液晶ディスプレイ(21)をやや上向きに設定すれば、画像の視認が容易なものとなる。
【００２０】
上記ビデオカメラにおいては、上述の如く、第１筐体(１)の後部背面に、動画撮影釦(14)と静止画撮影釦(15)が配備されると共に、第１筐体(１)の前部上面に、動画撮影釦(12)と静止画撮影釦(13)が配備されているので、アングルフリーな撮影が可能であり、然も、長時間の撮影時には、第１筐体(１)を把持する手の向きを変更することによって、ユーザの撮影時の負担を軽減することが出来る。
特に、後方の動画撮影釦(14)及び静止画撮影釦(15)と前方の動画撮影釦(12)及び静止画撮影釦(13)とは、左右の配列が同じであるので、誤操作の虞が低いものとなる。
【００２１】
又、上記ビデオカメラにおいては、第２筐体(２)の背面(22)を受け止めるべきストッパー(41)が、釦ホルダー(４)と一体に形成されているので、従来のビデオカメラに比べて部品点数が削減されることになる。
尚、釦ホルダー(４)は従来のビデオカメラにも配備されていたので、その釦ホルダー(４)にストッパー(41)を形成することは、金型の一部変更で容易に実施することが可能である。
【００２２】
図７は、本発明の他の実施態様であるビデオカメラを示しており、該ビデオカメラにおいては、後方の動画撮影釦(14)と静止画撮影釦(15)が左右に配列されているのに対し、前方の動画撮影釦(12)と静止画撮影釦(13)が前後に配列されている。これによって、第１筐体(１)の前方部分の左右の幅をより小さなものとすることが出来る。
【００２３】
尚、本発明の各部構成は上記実施の形態に限らず、特許請求の範囲に記載の技術的範囲内で種々の変形が可能である。例えば、動画撮影釦(14)(12)と静止画撮影釦(15)(13)の位置を相互に入れ替えることも可能である。
【符号の説明】
【００２４】
(１)  第１筐体
(12)  動画撮影釦
(13)  静止画撮影釦
(14)  動画撮影釦
(15)  静止画撮影釦
(２)  第２筐体
(21)  液晶ディスプレイ
(３)  ２軸ヒンジ機構
(５)  本体機構部
(52)  スイッチ部
(53)  スイッチ部
(16)  電源釦
(17)  再生釦
【図１】
2011142369.tif 000003
【図２】
2011142369.tif 000004
【図３】
2011142369.tif 000005
【図４】
2011142369.tif 000006
【図５】
2011142369.tif 000007
【図６】
2011142369.tif 000008
【図７】
2011142369.tif 000009
【図８】
2011142369.tif 000010
【図９】
2011142369.tif 000011